(57)【要約】【課題】  解決しようとする課題は、横架材の木口加工とピンの打ち込みを別の機械で行っているため、作業効率も悪く、機械据え付け面積も広く必要であるという問題があった。【解決手段】  横架材は丸鋸によってスリットが形成され、ピンがセットされたピンカセットはピンカセット架台の上に装着され、ピン移動用通路はピンカセットと平行にに装着され、ピン移動用ロッドレスエアシリンダはピン移動用通路と平行に装着され、ピン待機台は移動用通路のピン移動用ロッドレスエアシリンダの先端位置の前記フレーム本体に装着され、ピン打ち機用ユニットガイドはピン待機台と間隔を空けて、ベース台に装着され、ピン打ちユニットはピン打ち機フレームの昇降用ガイドに沿って移動され、ピン打ち油圧シリンダは前後移動台の上に装着され、ピン受け台は油圧シリンダのロッド部分に装着され、ピン打ち完了スタンプシリンダは移動台に装着された支持部材で支持されている。【選択図】図２
2014028468.tif 000002
【特許請求の範囲】
【請求項１】
ベース台に装着されたフレーム本体と、該フレーム本体の段違いの高い部分に装着され、ローラ駆動用モータによって回転される横架材を搬送する搬送ローラと、該搬送ローラの間に装着された横架材ストッパと、前記フレーム本体の低い部分に装着されたスリットユニット用コラムと、スリットユニット用コラムの前面に装着されたスリットユニット昇降用ガイドと、該スリットユニット昇降用ガイドに沿って上下動し、スリット用モータと該スリット用モータによって回転されるスピンドルとを設けたスリットユニットと、該スピンドルの回転軸に装着された２つの丸鋸と、前記スリットユニット用コラムの前面に装着されたスリットユニット昇降用モータと、前記フレーム本体のスリットユニットコラム側の側部に装着されたピンカセット架台と、該ピンカセット架台の上に装着された複数のピンカセットと、該複数のピンカセットの端部に装着されたピン移動用通路と、該ピン移動用通路と平行に装着されたピン移動用ロッドレスエアシリンダと、前記移動用通路のピン移動用ロッドレスエアシリンダの対向する位置の前記フレーム本体に装着されたピン待機台と、該ピン待機台と間隔を空けて、前記ベース台に装着されたピン打ち機用ユニットガイドと、該ピン打ち機用ユニットガイドで前記ベース台と平行に移動するピン打ち機フレームと、該ピン打ち機フレームの昇降用ガイドに沿って移動され、サーボモータで回転されるボールネジによって移動されるピン打ちユニットと、該ピン打ちユニットの前記搬送ローラ方向に前後移動する前後移動台と、該前後移動台のうえに装着されたピン打ち油圧シリンダと、該油圧シリンダのロッド部分に装着されたピン受け台と、前記前後移動台に装着された支持部材で支持されたピン打ち完了スタンプシリンダととからなり、前記横架材にスリットを形成し、前記横架材のピン穴にピンを打ち込むことを特徴とするスリット・ピン打ち加工装置。
【発明の詳細な説明】
【技術分野】
【０００１】
本発明は、横架材の木口にスリットを加工し、先行ピンを打ち込むようにした横架材の木口加工装置に関するものである。
【背景技術】
【０００２】
近年、木材住宅の継ぎ手構造として、金物を取り付ける工法が採用されるようになってきた。この金物を取り付けるために、この種の木口加工装置としては、図４に示すように、横架材１の木口１ａに予め決められた幅で、決められた深さの二つの（または１つの）スリット２ａ、２ｂを丸鋸で加工し、この加工した二つのスリット２ａ、２ｂに金物を挿入するために、その取付け基準として、横架材３６の木口１ａの近傍に前もって別の機械で形成された穴３の１箇所にピンを打ち込むようにしていた。
【０００３】
このように構成された従来の加工方法では、横架材１の木口加工とピンの打ち込みを別々の機械で行うため作業効率も悪く、機械の据え付け面積も広く必要であり、又、設備投資も２台分必要となるという問題があった。
【先行技術文献】
【特許文献】
【０００４】
【特許文献１】２００９−１０８５６４
【発明の概要】
【発明が解決しようとする課題】
【０００５】
解決しようとする課題は、横架材の木口加工とピンの打ち込みを別々の機械で行うため作業効率も悪く、機械の据え付け面積も広く必要であり、又、設備投資も２台分必要となる別々の機械で行うため作業効率も悪く、機械の据え付け面積も広く必要であり、又、設備投資も２台分必要となるという問題があった。
【課題を解決するための手段】
【０００６】
本発明は、ベース台に装着されたフレーム本体と、該フレーム本体の段違いの高い部分に装着され、ローラ駆動用モータによって回転される横架材を搬送する搬送ローラと、該搬送ローラの間に装着された横架材ストッパと、前記フレーム本体の低い部分に装着されたスリットユニット用コラムと、スリットユニット用コラムの前面に装着されたスリットユニット昇降用ガイドと、該スリットユニット昇降用ガイドに沿って上下動し、スリット用モータと該スリット用モータによって回転されるスピンドルとを設けたスリットユニットと、該スピンドルの回転軸に装着された２つの丸鋸と、前記スリットユニット用コラムの背面に装着されたスリットユニット昇降用モータと、前記フレーム本体のスリットユニットコラム側の側部に装着されたピンカセット架台と、該ピンカセット架台の上に装着された複数のピンカセットと、該複数のピンカセットの端部に装着されたピン移動用通路と、該ピン移動用通路と平行に装着されたピン移動用ロッドレスエアシリンダと、前記移動用通路のピン移動用ロッドレスエアシリンダの先端位置の前記フレーム本体に装着されたピン待機台と、該ピン待機台と間隔を空けて、前記ベース台に装着されたピン打ち機用ユニットガイドと、該ピン打ち機用ユニットガイドで前記ベース台と平行に移動するピン打ち機フレームと、該ピン打ち機フレームの昇降用ガイドに沿って移動され、サーボモータで回転されるボールネジによって移動されるピン打ちユニットと、該ピン打ちユニットの前記搬送ローラ方向に前後移動する前後移動台と、該前後移動台のうえに装着されたピン打ち油圧シリンダと、該油圧シリンダのロッド部分に装着されたピン受け台と、前記前後移動台に装着された支持部材で支持されたピン打ち完了スタンプシリンダとからなり、前記横架材にスリットを形成し、前記横架材のピン穴にピンを打ち込むものである。
【発明の効果】
【０００７】
本発明では、横架材に金物を装着するためのスリットを形成し、予め形成されたピン穴にピンを打ち込むように構成することにより、スリットの形成とピンの打ち込みを一体にできるようになり、この構成により１台の機械で済むため、作業効率も高くなり、機械据え付け面積も１台分となるという利点がある。
【図面の簡単な説明】
【０００８】
【図１】図１は本発明の実施例のスリット・ピン打ち加工装置の平面図である。
【図２】図２は図１のスリット・ピン打ち加工装置の側面図である。
【図３】図３は図１のスリットピン打ち加工装置の正面図である。
【図４】図４は加工する横架材の斜視図である。
【発明を実施するための形態】
【０００９】
本発明では、フレーム本体がベース台に装着され、フレーム本体の段違いの高い部分に上クランプと横クランプ用バイス及び搬送ローラが装着され、搬送ローラがローラ駆動用モータによって回転され、横架材ストッパが搬送ローラの間に装着され、スリットユニット用コラムはフレーム本体の低い部分に装着され、スリットユニット昇降用ガイドはスリットユニット用コラムの前面に装着され、スリットユニットはスリットユニット昇降用ガイドに沿って上下動し、スリット用モータと該スリット用モータによって回転されるスピンドルとを設け、２つの丸鋸はスピンドルの回転軸に装着され、スリットユニット昇降用モータはスリットユニット用コラムの前面に装着され、ピンカセット架台はフレーム本体のスリットユニットコラム側の側部に装着され、複数のピンカセットはピンカセット架台の上に装着され、ピン移動用通路は複数のピンカセットの端部に装着され、ピン移動用ロッドレスエアシリンダはピン移動用通路とへ移行に装着され、ピン待機台は移動用通路のピン移動用ロッドレスエアシリンダの先端位置の前記フレーム本体に装着され、ピン打ち機用ユニットガイドはピン待機台と間隔を空けて、ベース台に装着され、ピン打ち機フレームはピン打ち機用ユニットガイドでベース台と平行に移動し、ピン打ちユニットはピン打ち機フレームの昇降用ガイドに沿って移動され、サーボモータで回転されるボールネジによって移動され、前後移動台はピン打ちユニットの前記搬送ローラ方向に前後移動し、ピン打ち油圧シリンダは前後移動台のうえに装着され、ピン受け台は油圧シリンダのロッド部分に装着され、ピン打ち完了スタンプシリンダは移動台に装着された支持部材で支持され、横架材にスリットを形成し、横架材にピンを打ち込むものである。
【実施例】
【００１０】
図１は本発明の実施例のスリット・ピン打ち加工装置の平面図、図２は図１のスリット・ピン打ち加工装置の側面図、図３は図１のスリットピン打ち加工装置の正面図で、フレーム本体５はベース台４に装着され、フレーム本体５の段違いの高い部分５ａに上クランプ６ｂと横クランプ用バイス６ａ及び搬送ローラ６が装着され、搬送ローラ６はローラ駆動用モータ７によって回転され、横架材ストッパ８が搬送ローラ６の間に装着され、スリットユニット用コラム９はフレーム本体５の低い部分５ｂに装着され、スリットユニット昇降用ガイド１０はスリットユニット用コラム９の背面に装着され、スリットユニット１１はスリットユニット昇降用ガイド１０に沿って上下動し、スリットユニット用モータ１２とスリットユニット用モータ１２によって回転されるスピンドル１３とを設け、２つの丸鋸１４ａ、１４ｂはスピンドル１３の回転軸１３ａに装着され、スリットユニット昇降用モータ１５はスリットユニット用コラム９の前面に装着され、又、搬送ローラ６の下部にバイス移動用油圧シリンダ３４が装着され、このバイス移動用油圧シリンダ３４を駆動することにより、横架材３６の切り込み深さを調節する。
【００１１】
ピンカセット架台１６はベース台４の側部に装着され、複数のピンカセット１７はピンカセット架台１６の上に装着され、ピン移動用通路１８は複数のピンカセット１７の端部に装着され、ピン移動用ロッドレスエアシリンダ１９はピン移動用通路１８と平行に装着され、ピン受け取り部２０はピン移動用通路１８の端部に装着され、フレーム本体５を通り抜けて配置され、ピン打ち機用フレーム２１はピン待機台２０と間隔を開けて、ベース台４に装着されたピン打ち機用フレームガイド２２の上に装着され、ピン打ち機用フレーム２１はピン打ち機用フレームガイド２２により、横移動サーボモータ２３で回転されるボールネジ２４でベース台４と平行に移動され、ピン打ち機用ユニット２５はピン打ち機用フレーム２１の昇降用ガイド２６に沿い、縦移動サーボモータ２７で回転されるボールネジ２８によって移動され、ピン打ち機用ユニット２５に装着された前後移動台２９は前後移動シリンダ３０で搬送ローラ６の方向に前後移動し、ピン打ち用油圧シリンダ３１は前後移動台２９の上に装着され、ピン受け台３３はピン打ち用油圧シリンダ３１のロッド部分に装着され、ピン打ち完了スタンプシリンダ３３
はは移動台２９に装着されている。
【００１２】
このように構成した本発明の実施例のスリット・ピン打ち加工装置の動作を説明する。まず、横架材３６が搬送ローラ６の上を搬送され、横架材ストッパ８で停止すると、横架材３６は上クランプ６ｂと横クランプ用バイス６ａにより固定され、スリット用モータ１２が予め回転されることによってベルト１２ａを介して回転軸１３ａが回転され、丸鋸１４ａ、１４ｂが回転することによって、スリットユニット昇降用モータ１５が回転し、スリットユニット１１が下降することにより、横架材３６にスリットが形成され、スリットが形成し終わると、スリットユニット昇降用モータ１５は逆回転して、スリットユニット１１を上昇し、待機位置で停止し、又、スリットが形成された横架材３６もその位置で待機する。
【００１３】
ピン打ち機用ユニット２５の前後進移動台２９は後退し、ピン打ち用油圧シリンダ３１のロッドに装着されたピン受け台３３も後退し、ピン打ち機用ユニット２５が縦移動サーボモータ２７で回転されるボールネジ２８によって下降され、ピン打ち機用ユニット２５のピン受け台３３はピン待機台２０の位置に来て待機している。スリット加工動作と平行して、ピンカセット１７から１つのピンが選択され、選択されたピンはピン移動用通路１８に載置されると、ピン移動用ロッドレスエアシリンダ１９によって、ピンはフレーム本体５の中を通るピン移動用通路を通り、又ピン待機台２０を通ってピン受け台３３に装填される。
【００１４】
ピンがピン受け台３３に装填されると、サーボモータ２７を駆動してボールネジ２８を回転し、ピン打ち機用ユニット２５を所定の位置に上昇させると、ピン打ちヘッド前進用油圧シリンダ３０を駆動して、前後進移動台２９を前進させ、スリット動作終了を待ってピン打ち油圧シリンダ３１を動作して横架材３６の所定の位置にピンを打ち込む。
【００１５】
本発明の実施例では、このように、横架材３６に丸鋸１４ａ、１４ｂでスリットを形成し、ピン打ち機用ユニット２５に装着されたピン打ち機用油圧シリンダ３１で横架材３６にピンを打ち込むことができ、ピンが打ち込まれると、前後移動台２９に装着されたピン打ち完了スタンプシリンダ３２で横架材３６のピンが打ち込まれた位置に完了印が表示される。
【産業上の利用可能性】
【００１６】
なお、横架材３６のピンを打ち込む位置に予め穴を開けておいた横架材を投入することにより、スリット加工とピン打ち加工を同じ加工機で同時に行うことができる。
【符号の説明】
【００１７】
４                    ベース台
５                    フレーム本体
６                    搬送ローラ
７                    ローラ駆動用モータ
８                    横架材ストッパ
９                    スリットユニット用コラム
１０                    スリットユニット昇降用ガイド
１１                    スリットユニット
１２                    スリットユニット用モータ
１３                    スピンドル
１３ａ                  回転軸
１４ａ、１４ｂ          丸鋸
１５                    スリットユニット昇降用モータ
１６                    ピンカセット架台
１７                    ピンカセット
１８                    ピン移動用通路
１９                    ピン移動用ロッドレスエアシリンダ
２０                    ピン待機台
２１                    ピン打ち機用フレーム
２２                    ピン打ち機用フレームガイド
２３                    横移動サーボモータ
２４                    横移動ボールネジ
２５                    ピン打ち機用ユニット
２６                    昇降用ガイド
２７                    昇降用サーボモータ
２８                    昇降用ボールネジ
２９                    前後移動台
３０                    前後移動シリンダ
３１                    ピン打ち用油圧シリンダ
３２                    ピン打ち完了スタンプシリンダ
３３                    ピン受け台
３４                    前後進油圧シリンダ
３６                    横架材
【図１】
2014028468.tif 000003
【図２】
2014028468.tif 000004
【図３】
2014028468.tif 000005
【図４】
2014028468.tif 000006